(57)【要約】【課題】加工、組み立てが簡単で、ノズル部及びディフューザ部の交換も簡単に出来るエジェクタを提供すること。【解決手段】エジェクタ１の外装１０は、市販の水道配管用のＴ型分岐継手２、接続短管３１，３２，３３、第一フランジ４１，第二フランジ４２，第三フランジ４３から構成される。外装１０の第一フランジ４１側からノズル部５をノズル出口５５側から挿入する。尚、鍔部５１は段差部４１Ｆに嵌合するのみにし、ノズル部５を第一フランジ４１に接着しない。ノズル部５を交換可能にするためである。また、外装１０の第二フランジ４２側からディフューザ部６を液体入口６６側から挿入する。尚、鍔部６１は段差部４２Ｆに嵌合するのみにし、ディフューザ部６を第二フランジ４２に接着することはしない。ディフューザ部６を交換可能にするためである。【選択図】図１
0003183430.tif 000002
【実用新案登録請求の範囲】
【請求項１】
第一開口部及び第二開口部を両端に有する直管状の第一パイプと、当該第一パイプの中間部に接続され、端部に第三開口部を有する第二パイプとを備えたＴ型分岐継手と、
前記第一開口部側に固着された第一フランジと、
前記第二開口部側に固着された第二フランジと、
前記第三開口部側に固着された第三フランジと、
前記第一フランジ側から挿入されたノズル部と、
前記第二フランジ側から挿入されたディフューザ部と
を備えたことを特徴とするエジェクタ。
【請求項２】
前記Ｔ型分岐継手と、前記第一フランジ、前記第二フランジ及び前記第三フランジは、直管状の接続短管を介して各々接続されていることを特徴とする請求項１に記載のエジェクタ。
【請求項３】
前記Ｔ型分岐継手、前記第一フランジ、前記第二フランジ及び前記第三フランジは、塩化ビニールから構成されていることを特徴とする請求項１又は２に記載のエジェクタ。
【考案の詳細な説明】
【技術分野】
【０００１】
本考案は、ノズル部から噴射される高速度の噴射流体によって流体を吸引するエジェクタに関する。
【背景技術】
【０００２】
従来、高圧流体を減圧膨張させるノズル部から噴射される高速度の噴射流体の吸引作用によって、流体吸引口から流体を吸引するエジェクタが知られている（例えば、特許文献１参照）。この種のエジェクタでは、噴射流体と流体吸引口から吸引された吸引流体とを混合部にて混合し、混合された流体の運動エネルギを昇圧部にて圧力エネルギに変換して、エジェクタから流出する流出流体の圧力を吸引流体の圧力よりも上昇させている。また、液体用のエジェクタは、流体を絞る細孔から成るノズル部と、当該ノズル部と連通したディフューザ部とから構成される。このノズル部の直径、ディフューザ部の喉部の直径、喉部の平行部の長さなどがエジェクタの性能に影響する要素となる。これらの要素を一定の計算式により算出して、エジェクタを製作している。
【先行技術文献】
【特許文献】
【０００３】
【特許文献１】特開２００８−６４０２１号公報
【考案の概要】
【考案が解決しようとする課題】
【０００４】
しかしながら、従来のエジェクタは、ディフューザ部、ノズル部及び接続部が一体形成された物や、ディフューザ部と接続部とが一体構造になっている物が主流で、比較的加工技術が必要であり、加工費用も高価であるという問題点があった。また、エジェクタを装置に組み込んだ後に希望の性能が出なかった場合や性能を変更したい場合には、性能に影響する要素と考えられるノズル部の直径、ディフューザ部の喉部の直径、喉部の平行部の長さなどを変更する必要がある。そのため従来のエジェクタにおいてはエジェクタ全体を交換して対応していたので、交換の煩雑さ及び費用が高価になるという問題点があった。
【０００５】
本考案の目的は、加工、組み立てが簡単で、ノズル部及びディフューザ部の交換も簡単に出来るエジェクタを提供することである。
【課題を解決するための手段】
【０００６】
本考案に係るエジェクタは、第一開口部及び第二開口部を両端に有する直管状の第一パイプと、当該第一パイプの中間部に接続され、端部に第三開口部を有する第二パイプとを備えたＴ型分岐継手と、前記第一開口部側に固着された第一フランジと、前記第二開口部側に固着された第二フランジと、前記第三開口部側に固着された第三フランジと、前記第一フランジ側から挿入されたノズル部と、前記第二フランジ側から挿入されたディフューザ部とを備えている。
【０００７】
上記構成のエジェクタでは、Ｔ型分岐継手と、第一フランジと、第二フランジと、第三フランジとからエジェクタの外装を簡単に構成できる。また、ノズル部は、第一フランジ側から挿入されるのみであり、ディフューザ部は第二フランジ側から挿入されるのみであるので、ノズル部及びディフューザ部の微調整や交換が容易にできる。さらに、エジェクタを装置に設置した後に希望の性能が出なかった場合や性能を変更したい場合にもノズル部及びディフューザ部のみの交換により容易に変更可能であり、それに伴う費用も安価である。
【０００８】
また、前記エジェクタにおいて、前記Ｔ型分岐継手と、前記第一フランジ、前記第二フランジ及び前記第三フランジは、直管状の接続短管を介して各々接続されてもよい。これにより市販の接続短管を用いてＴ型分岐継手と第一フランジ、第二フランジ及び第三フランジを容易に接続することができる。
【０００９】
また、前記Ｔ型分岐継手、前記第一フランジ、前記第二フランジ及び前記第三フランジは、塩化ビニールから構成されていてもよい。これにより市販の安い塩化ビニール製品でエジェクタの外装を形成することができる。
【図面の簡単な説明】
【００１０】
【図１】エジェクタ１の縦断面図である。
【図２】Ｔ型分岐継手２の縦断面図である。
【図３】接続短管３１の縦断面図である。
【図４】第一フランジ４１の縦断面図である。
【図５】ノズル部５の縦断面図である。
【図６】ディフューザ部６の縦断面図である。
【図７】エジェクタ１の外装１０の縦断面図である。
【考案を実施するための形態】
【００１１】
以下、本考案の一実施形態であるエジェクタ１について、図面を参照して説明する。図１に示すように、エジェクタ１は、一般に市販されている水道配管用の継手を用いて液体用のエジェクタの外装１０を構成している。具体的には、エジェクタ１の外装１０は、市販の塩化ビニール製のＴ型分岐継手２、接続短管３１，３２，３３、第一フランジ４１，第二フランジ４２，第三フランジ４３から構成される。
【００１２】
以下、図２〜図７を参照してエジェクタの外装１０の構造を説明する。先ず、図２を参照して、Ｔ型分岐継手２の構造を説明する。Ｔ型分岐継手２は、所謂「チーズ継手」と呼ばれるものであり、所定の口径を有する直管状の第一パイプ２０と、第一パイプ２０の中央部に第一パイプ２０と交差する方向に接続された直管状の第二パイプ２４とから構成される。第一パイプ２０は、第一開口部２１と第二開口部２２とを右左に備える。また、第二パイプ２４の端部には第三開口部２３を備える。第一パイプ２０と第二パイプ２４との交差角度は、一例として９０°であるが、必ずしも９０°には限られず、第一パイプ２０に対して斜め方向に接続されていてもよい。尚、Ｔ型分岐継手２は家庭の水道用の物を用いることができる。
【００１３】
次に、図３を参照して、接続短管３１について説明する。接続短管３１は、Ｔ型分岐継手２の第一開口部２１（図２参照）に挿入されて接着剤等で固着される直管であり、第一開口部２１の内部に挿入できるように第一開口部２１の内径より僅かに小さい外径を有する。また、図１に示す接続短管３２は、Ｔ型分岐継手２の第二開口部２２（図２参照）に挿入されて接着剤等で固着される直管であり、第二開口部２２の内部に挿入できるように第二開口部２２の内径より僅かに小さい外径を有する。また、図１に示す接続短管３３は、Ｔ型分岐継手２の第三開口部２３（図２参照）に挿入されて接着剤等で固着される直管であり、第三開口部２３の内部に挿入できるように第三開口部２３の内径より僅かに小さい外径を有する。尚、接続短管３１，３２，３３も家庭の水道配管用の物を用いることができる。
【００１４】
次に、図４を参照して、第一フランジ４１の構造を説明する。第二フランジ４２、第三フランジ４３も第一フランジ４１と同様の構造となっている。代表して、第一フランジ４１の構造を説明し、第二フランジ４２、第三フランジ４３の構造の説明は省略する。第一フランジ４１は、直管部４１Ａと直管部４１Ａの一端部側（図４では、下側）の外周に張り出した円板状の鍔部４１Ｂとから構成される。鍔部４１Ｂには、他の継ぎ手と接続固定するための固定ボルトを通す貫通孔４１Ｃが複数形成されている。貫通孔４１Ｃの数は、一例として、４個である。また、直管部４１Ａの開口部４１Ｄの内径は、接続短管３１の外径よりも僅かに大きくなっている。尚、第一フランジ４１も家庭の水道配管用の物を用いることができる。
【００１５】
次に、図５を参照して、ノズル部５の構造を説明する。ノズル部５は、円筒状の胴体部５０と胴体部５０の一端部（図５では、右端部）に設けた鍔部５１とから構成される。胴体部５０の鍔部５１側には、液体流入口５２が設けられ、反対側の端部にはノズル出口５５が形成されている。液体流入口５２とノズル出口５５との間には、円筒部５３と円錐部５４とが形成され、液体流入口５２からノズル部５に入った液体の流速を上げてノズル出口５５から吹き出すようになっている。尚、ノズル部５は、射出成形や切削加工等により形成される。
【００１６】
次に、図６を参照して、ディフューザ部６の構造を説明する。ディフューザ部６は、円筒状の胴体部６０と胴体部６０の一端部（図６では、左端部）に設けた鍔部６１とから構成される。胴体部６０の鍔部６１側には、液体出口６２が形成され、反対側の端部には液体入口６６が形成されている。液体入口６６は、円錐状の側面である円錐側面６７を有し、ノズル出口５５から吹き出す液体を受け入れるようになっている。液体入口６６には、狭径の所定長さの貫通孔である喉部６５が形成され、喉部６５の出口側（図６では、左側）には、開口径が液体出口６２側に向けて拡大する漏斗部６４と、漏斗部６４に接続され液体出口６２と同一の開口径を有する円筒部６３が形成されている。尚、ディフューザ部６は、射出成形や切削加工等により形成される。
【００１７】
次に、図７を参照して、エジェクタ１の外装１０の組み立て方法を説明する。先ず、Ｔ型分岐継手２の各開口部２１，２２，２３（図２参照）に接続短管３１，３２，３３を各々挿入して接着する。その後、接続短管３１が第一開口部２１から出ている部分を第一フランジ４１の直管部４１Ａの開口部４１Ｄに挿入して接着する。同様に、接続短管３２が第二開口部２２（図２参照）から出ている部分を第二フランジ４２の直管部４２Ａの開口部４２Ｄに挿入して接着する。同様に、接続短管３３が第三開口部２３（図２参照）から出ている部分を第三フランジ４３の直管部４３Ａの開口部４３Ｄに挿入して接着する。尚、第一フランジ４１の直管部４１Ａの開口部４１Ｄの端部（図７では、右端部）には、口径を拡大した段差部４１Ｆを予め形成しておく。この段差部４１Ｆにノズル部５の鍔部５１が嵌合する。また、第二フランジ４２の直管部４２Ａの開口部４２Ｄの端部（図７では、左端部）には、口径を拡大した段差部４２Ｆを予め形成しておく。この段差部４２Ｆにディフューザ部６の鍔部６１が嵌合する。これにより外装１０が完成する。尚、段差部４１Ｆ及び段差部４２Ｆは切削加工等で形成する。
【００１８】
次に、図１，図５，図６及び図７を参照して、エジェクタ１の組み立て方法を説明する。図７に示すように組み立てられた外装１０の第一フランジ４１側からノズル部５をノズル出口５５側から挿入する。尚、鍔部５１は段差部４１Ｆに嵌合するのみにし、ノズル部５を第一フランジ４１に接着することはしない。ノズル部５を交換可能にするためである。また、外装１０の第二フランジ４２側からディフューザ部６を液体入口６６側から挿入する。尚、鍔部６１は段差部４２Ｆに嵌合するのみにし、ディフューザ部６を第二フランジ４２に接着することはしない。ディフューザ部６を交換可能にするためである。尚、ノズル部５及びディフューザ部６は接着固定しなくても脱落や位置変動が起こることは無い。第一フランジ４１、第二フランジ４２及び第三フランジ４３が各々他のフランジ（図示略）に貫通孔４１Ｃ、４２Ｃ、４３Ｃに固定ボルト（図示略）を貫通させることで組み付けられ、当該他のフランジの端面がノズル部５の鍔部５１の端部及びディフューザ部６の鍔部６１の端部に当接するからである。
【００１９】
以上説明したように、本実施形態のエジェクタ１は、外装１０が市販の配管用継手で構成されるので、従来のエジェクタに比べて、簡単な構造で加工程度が軽度になる。故に費用を低減することができる。また、機械工作加工もノズル部５及びディフューザ部６のみであり、加工費用が低減できるという経済効果も発揮する。また、外装１０にノズル部５及びディフューザ部６を接着しないので、ノズル部５及びディフューザ部６の微調整や交換が容易にできる。さらに、エジェクタ１を装置に設置した後に希望の性能が出なかった場合や性能を変更したい場合にもノズル部５及びディフューザ部６のみの交換により容易に変更可能であり、それに伴う費用も安価である。
【００２０】
なお、本考案は上記実施の形態に限定されず、様々な変形が可能である。例えば、ノズル部５及びディフューザ部６は、合成樹脂または金属の何れで形成してもよい。
【符号の説明】
【００２１】
１ エジェクタ
２ Ｔ型分岐継手
５ ノズル部
６ ディフューザ部
１０ 外装
２０ 第一パイプ
２１ 第一開口部
２２ 第二開口部
２３ 第三開口部
２４ 第二パイプ
３１，３２，３３ 接続短管
４１ 第一フランジ
４２ 第二フランジ
４３ 第三フランジ
５１ 鍔部
５２ 液体流入口
５３ 円筒部
５４ 円錐部
５５ ノズル出口
６０ 胴体部
６１ 鍔部
６２ 液体出口
６４ 漏斗部
６５ 喉部
６６ 液体入口
６７ 円錐側面
【図１】
0003183430.tif 000003
【図２】
0003183430.tif 000004
【図３】
0003183430.tif 000005
【図４】
0003183430.tif 000006
【図５】
0003183430.tif 000007
【図６】
0003183430.tif 000008
【図７】
0003183430.tif 000009